【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
（ａ）吸着質、（ｂ）吸着質を吸脱着する吸着材を備えた吸脱着部、（ｃ）該吸脱着部に連結された吸着質の蒸発を行う蒸発部、及び（ｄ）該吸脱着部に連結された吸着質の凝縮を行う凝縮部とを備えた吸着ヒートポンプにおいて、
（１）吸着材が骨格構造にアルミニウムとリンとを含むゼオライトを含み、
（２）吸着材が、吸脱着部の吸着操作時相対水蒸気圧φ2が０．１１５以上０．１８以下、吸脱着部の脱着操作時相対水蒸気圧φ1が０．１以上０．１４以下である領域に、下記式で求められる吸着材の吸着量差が０．１５ｇ／ｇ以上となる範囲を有する水蒸気吸着材である、ことを特徴とする吸着ヒートポンプ。
吸着量差＝Ｑ２−Ｑ１
ここで、
Ｑ１＝吸脱着部の脱着操作温度（Ｔ３）で測定した水蒸気脱着等温線から求めたφ1における吸着量
Ｑ２＝吸脱着部の吸着操作温度（Ｔ４）で測定した水蒸気吸着等温線から求めたφ2における吸着量
但し、
φ1（吸脱着部の脱着操作時相対水蒸気圧）＝該凝縮器を冷却する冷媒温度（Ｔ２）の平衡水蒸気圧／該吸脱着部を加熱する熱媒温度（Ｔ１）での平衡水蒸気圧
φ2（吸脱着部の吸着操作時相対水蒸気圧）＝蒸発部で生成される冷熱温度（Ｔ０）の平衡蒸気圧／該吸脱着部を冷却する冷媒温度（Ｔ２）の平衡蒸気圧
（ここで、Ｔ０＝５〜１０℃、Ｔ１＝Ｔ３＝９０℃、Ｔ２＝Ｔ４＝４０〜４  ５℃とする）
【請求項２】
Ｔ０が１０℃、Ｔ２が４０℃である請求項１に記載の吸着ヒートポンプ。
【請求項３】
Ｔ０が５℃、Ｔ２が４０℃である請求項１に記載の吸着ヒートポンプ。
【請求項４】
Ｔ０が１０℃、Ｔ２が４５℃である請求項１に記載の吸着ヒートポンプ。
【請求項５】
φ1及びφ2が０．１１５以上０．１８以下の範囲にあり、φ1がφ2と等しいかそれ以上である領域に、該吸着量差が０．１５ｇ／ｇ以上でとなる範囲を有することを特徴とする請求項１〜４のいずれか１項に記載の吸着ヒートポンプ。
【請求項６】
ゼオライトが、骨格構造にヘテロ原子を含有することを特徴とする請求項１〜５のいずれか１項に記載の吸着ヒートポンプ。
【請求項７】
ゼオライトのアルミニウムとリンとヘテロ原子との存在割合が、
０．００１≦ｘ≦０．３
（ｘ＝骨格構造のアルミニウムとリンとヘテロ原子の合計に対するヘテロ原子のモル比）
０．３≦ｙ≦０．６
（ｙ＝骨格構造のアルミニウムとリンとヘテロ原子の合計に対するアルミニウムのモル比）
０．３≦ｚ≦０．６
（ｚ＝骨格構造のアルミニウムとリンとヘテロ原子の合計に対するリンのモル比）
であることを特徴とする請求項６に記載の吸着ヒートポンプ。
【請求項８】
ゼオライトが、フレームワーク密度が１０．０Ｔ／１，０００Å3以上、１６．０Ｔ／１，０００Å3以下のゼオライトであることを特徴とする請求項１〜７のいずれか１項に記載の吸着ヒートポンプ。
【請求項９】
吸着材が、吸脱着部に固定化されていることを特徴とする請求項１〜８のいずれか１項に記載の吸着ヒートポンプ。
【請求項１０】
請求項１〜９のいずれかに記載の吸着ヒートポンプを備えた車内空調装置。
【請求項１１】
吸着材を加熱して吸着質を脱着させ、乾燥した吸着材を吸着質の吸着に使用する温度まで冷却して再度吸着質の吸着に使用する吸着材の使用方法において、該吸着材が
（１）吸着材が骨格構造にアルミニウムとリンとを含むゼオライトを含み、
（２）吸着材が、吸脱着部の吸着操作時相対水蒸気圧φ2が０．１１５以上０．１８以下、吸脱着部の脱着操作時相対水蒸気圧φ1が０．１以上０．１４以下である領域に、下記式で求められる吸着材の吸着量差が０．１５ｇ／ｇ以上となる範囲を有する水蒸気吸着材である、ことを特徴とする吸着材の使用方法。
吸着量差＝Ｑ２−Ｑ１
ここで、
Ｑ１＝吸脱着部の脱着操作温度（Ｔ３）で測定した水蒸気脱着等温線から求めたφ1における吸着量
Ｑ２＝吸脱着部の吸着操作温度（Ｔ４）で測定した水蒸気吸着等温線から求めたφ2における吸着量
但し、
φ1（吸脱着部の脱着操作時相対水蒸気圧）＝該凝縮器を冷却する冷媒温度（Ｔ２）の平衡水蒸気圧／該吸脱着部を加熱する熱媒温度（Ｔ１）での平衡水蒸気圧
φ2（吸脱着部の吸着操作時相対水蒸気圧）＝蒸発部で生成される冷熱温度（Ｔ０）の平衡蒸気圧／該吸脱着部を冷却する冷媒温度（Ｔ２）の平衡蒸気圧（ここで、Ｔ０＝５〜１０℃、Ｔ１＝Ｔ３＝９０℃、Ｔ２＝Ｔ４＝４０〜４５℃とする）
【請求項１２】
除湿空調装置用吸着材であって、下記（１）及び（２）を満足することを特徴とする吸着材。
吸着材が骨格構造にアルミニウムとリンとを含むゼオライトを含む
吸着材が、（ａ）吸着質、（ｂ）吸着質を吸脱着する吸着材を備えた吸脱着部、（ｃ）該吸脱着部に連結された吸着質の蒸発を行う蒸発部、及び（ｄ）該吸脱着部に連結された吸着質の凝縮を行う凝縮部とを備えた吸着ヒートポンプに適用した場合に、吸脱着部の吸着操作時相対水蒸気圧φ2が０．１１５以上０．１８以下、吸脱着部の脱着操作時相対水蒸気圧φ1が０．１以上０．１４以下である領域に、下記式で求められる吸着材の吸着量差が０．１５ｇ／ｇ以上となる範囲を有する
吸着量差＝Ｑ２−Ｑ１
ここで、
Ｑ１＝吸脱着部の脱着操作温度（Ｔ３）で測定した水蒸気脱着等温線から求めたφ1における吸着量
Ｑ２＝吸脱着部の吸着操作温度（Ｔ４）で測定した水蒸気吸着等温線から求めたφ2における吸着量
但し、
φ1（吸脱着部の脱着操作時相対水蒸気圧）＝該凝縮器を冷却する冷媒温度（Ｔ２）の平衡水蒸気圧／該吸脱着部を加熱する熱媒温度（Ｔ１）での平衡水蒸気圧
φ2（吸脱着部の吸着操作時相対水蒸気圧）＝蒸発部で生成される冷熱温度（Ｔ０）の平衡蒸気圧／該吸脱着部を冷却する冷媒温度（Ｔ２）の平衡蒸気圧（ここで、Ｔ０＝５〜１０℃、Ｔ１＝Ｔ３＝９０℃、Ｔ２＝Ｔ４＝４０〜４５℃とする）
【請求項１３】
Ｔ０が１０℃、Ｔ２が４０℃である請求項１２に記載の除湿空調装置用吸着材。
【請求項１４】
Ｔ０が５℃、Ｔ２が４０℃である請求項１２に記載の除湿空調装置用吸着材。
【請求項１５】
Ｔ０が１０℃、Ｔ２が４５℃である請求項１２に記載の除湿空調装置用吸着材。
【請求項１６】
φ1及びφ2が０．１１５以上０．１８以下の範囲にあり、φ1がφ2と等しいかそれ以上である領域に、該吸着量差が０．１５ｇ／ｇ以上でとなる範囲を有することを特徴とする請求項１２〜１５のいずれか１項に記載の除湿空調装置用吸着材。
【請求項１７】
ゼオライトが、骨格構造にヘテロ原子を含有することを特徴とする請求項１２〜１６のいずれか１項に記載の除湿空調装置用吸着材。
【請求項１８】
ゼオライトのアルミニウムとリンとヘテロ原子との存在割合が、
０．００１≦ｘ≦０．３
（ｘ＝骨格構造のアルミニウムとリンとヘテロ原子の合計に対するヘテロ原子のモル比）
０．３≦ｙ≦０．６
（ｙ＝骨格構造のアルミニウムとリンとヘテロ原子の合計に対するアルミニウムのモル比）
０．３≦ｚ≦０．６
（ｚ＝骨格構造のアルミニウムとリンとヘテロ原子の合計に対するリンのモル比）
であることを特徴とする請求項１７に記載の除湿空調装置用吸着材。
【請求項１９】
ゼオライトが、フレームワーク密度が１０．０Ｔ／１，０００Å3以上、１６．０Ｔ／１，０００Å3以下のゼオライトであることを特徴とする請求項１２〜１８のいずれか１項に記載の除湿空調装置用吸着材。